【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
画像データを記憶する記憶手段と、
前記記憶手段に記憶されている画像データに基づき用紙に画像を形成する画像形成部と、
情報を表示するとともに、操作、指示入力を受付ける表示操作部と、
前記表示操作部にて画像形成に用いる用紙の種類と斤量とを設定し得る紙種設定手段と、
前記紙種設定手段により設定された用紙を画像形成に用いる際のプロセス条件のパラメータを設定するパラメータ設定手段と、
画像形成に使用する用紙を指定する用紙指定手段と、
前記用紙指定手段によって指定された用紙に対して前記パラメータ設定手段によって設定されたパラメータを用いて前記画像形成部にて画像形成するよう制御するプロセス制御手段と、
を備えた画像形成装置において、
前記パラメータ設定手段は、前記表示操作部にて設定対象のパラメータを表示する際に、予め記憶されているデフォルト値を表示し、該デフォルト値が修正された場合は、修正された値について、他の前記デフォルト値から修正されていない値と区別可能な表示形態で表示することによって、該用紙を画像形成に用いる際のプロセス条件のパラメータを設定することを特徴とする画像形成装置。
【請求項２】
前記パラメータ設定手段によって設定されるパラメータが、画像形成時の定着温度、転写電流、分離電圧および給紙アシストファン駆動制御のうちの少なくとも１つであることを特徴とする請求項１に記載の画像形成装置。
【請求項３】
前記パラメータ設定手段によって設定されるパラメータが、絶対値であり、且つ前記画像形成部を制御する際の制御単位で設定可能であることを特徴とする請求項１に記載の画像形成装置。
【請求項４】
前記表示操作部にて設定対象のパラメータを表示する際に、選択可能な複数の紙種とそれぞれの紙種に設定されているパラメータを表示することを特徴とする請求項１に記載の画像形成装置。
【請求項５】
画像データを記憶する記憶手段と、
前記記憶手段に記憶されている画像データに基づき用紙に画像を形成する画像形成部と、
情報を表示するとともに、操作、指示入力を受付ける表示操作部と、
前記表示操作部にて画像形成に用いる用紙の種類と斤量とを設定し得る紙種設定手段と、
前記紙種設定手段により設定された用紙を画像形成に用いる際のプロセス条件のパラメータを設定するパラメータ設定手段と、
画像形成に使用する用紙を指定する用紙指定手段と、
前記用紙指定手段によって指定された用紙に対して前記パラメータ設定手段によって設定されたパラメータを用いて前記画像形成部にて画像形成するよう制御するプロセス制御手段と、
を備えた画像形成装置において、
前記表示操作部にて設定対象のパラメータを表示する際に、複数の紙種を選択可能な状態で表示し、選択された紙種についての表示は、他の選択されていない紙種とは区別可能な表示形態で表示するとともに、前記選択された紙種に対して設定が可能な複数のプロセス条件のパラメータ項目を表示することを特徴とする画像形成装置。
【請求項６】
前記表示操作部において、前記選択された紙種に対して設定が可能であり表示されている複数のプロセス条件のパラメータ項目に対して、前記選択された紙種に対して設定された設定値を表示することを特徴とする請求項５に記載の画像形成装置。
【請求項７】
前記パラメータ設定手段が、予め記憶されているデフォルト値から修正された値については、他の前記デフォルト値から修正されていない値と区別可能な表示形態で表示することを特徴とする請求項６に記載の画像形成装置。
【請求項８】
前記表示操作部において、表示されている複数のプロセス条件のパラメータ項目に対して、前記選択された紙種に対して設定された設定値とあわせて選択されていない紙種に対して設定された設定値を表示することを特徴とする請求項６に記載の画像形成装置。
【請求項９】
画像データを記憶する記憶手段と、
前記記憶手段に記憶されている画像データに基づき用紙に画像を形成する画像形成部と、
情報を表示するとともに、操作、指示入力を受付ける表示操作部と、
前記表示操作部にて画像形成に用いる用紙の種類と斤量とを設定し得る紙種設定手段と、
前記紙種設定手段により設定された用紙を画像形成に用いる際のプロセス条件のパラメータを設定するパラメータ設定手段と、
画像形成に使用する用紙を指定する用紙指定手段と、
前記用紙指定手段によって指定された用紙に対して前記パラメータ設定手段によって設定されたパラメータを用いて前記画像形成部にて画像形成するよう制御するプロセス制御手段と、
を備えた画像形成装置のパラメータ設定方法において、
該用紙を画像形成に用いる際のプロセス条件のパラメータを設定するにあたり、前記表示操作部にて設定対象のパラメータを表示する際に、予め記憶されているデフォルト値を表示する工程と、該デフォルト値が修正された場合は、修正された値について、他の前記デフォルト値から修正されていない値と区別可能な表示形態で表示する工程とを有することを特徴とする画像形成装置のパラメータ設定方法。
【請求項１０】
前記設定されるパラメータが、画像形成時の定着温度、転写電流、分離電圧および給紙アシストファン駆動制御のうちの少なくとも１つであることを特徴とする請求項９に記載の画像形成装置のパラメータ設定方法。
【請求項１１】
前記設定されるパラメータが、絶対値であり、且つ前記画像形成部を制御する際の制御単位で設定可能であることを特徴とする請求項９に記載の画像形成装置のパラメータ設定方法。
【請求項１２】
前記表示操作部にて設定対象のパラメータを表示する際に、選択可能な複数の紙種とそれぞれの紙種に設定されているパラメータを表示することを特徴とする請求項９に記載の画像形成装置のパラメータ設定方法。
【請求項１３】
画像データを記憶する記憶手段と、
前記記憶手段に記憶されている画像データに基づき用紙に画像を形成する画像形成部と、
情報を表示するとともに、操作、指示入力を受付ける表示操作部と、
前記表示操作部にて画像形成に用いる用紙の種類と斤量とを設定し得る紙種設定手段と、
前記紙種設定手段により設定された用紙を画像形成に用いる際のプロセス条件のパラメータを設定するパラメータ設定手段と、
画像形成に使用する用紙を指定する用紙指定手段と、
前記用紙指定手段によって指定された用紙に対して前記パラメータ設定手段によって設定されたパラメータを用いて前記画像形成部にて画像形成するよう制御するプロセス制御手段と、
を備えた画像形成装置において、
前記表示操作部にて設定対象のパラメータを表示する際に、複数の紙種を選択可能な状態で表示する工程を有し、選択された紙種についての表示は、他の選択されていない紙種とは区別可能な表示形態で表示するとともに、前記選択された紙種に対して設定が可能な複数のプロセス条件のパラメータ項目を表示することを特徴とする画像形成装置のパラメータ表示方法。
【請求項１４】
前記表示操作部において、前記選択された紙種に対して設定が可能であり表示されている複数のプロセス条件のパラメータ項目に対して、前記選択された紙種に対して設定された設定値を表示することを特徴とする請求項１３に記載の画像形成装置のパラメータ表示方法。
【請求項１５】
前記パラメータ設定手段が、予め記憶されているデフォルト値から修正された値については、他の前記デフォルト値から修正されていない値と区別可能な表示形態で表示することを特徴とする請求項１４に記載の画像形成装置のパラメータ表示方法。
【請求項１６】
前記表示操作部において、表示されている複数のプロセス条件のパラメータ項目に対して、前記選択された紙種に対して設定された設定値とあわせて選択されていない紙種に対して設定された設定値を表示することを特徴とする請求項１４に記載の画像形成装置のパラメータ表示方法。
【手続補正２】
【補正対象書類名】明細書
【補正対象項目名】００１０
【補正方法】変更
【補正の内容】
【００１０】
本発明は上記の目的を達成するために、画像データを記憶する記憶手段と、前記記憶手段に記憶されている画像データに基づき用紙に画像を形成する画像形成部と、情報を表示するとともに、操作、指示入力を受付ける表示操作部と、前記表示操作部にて画像形成に用いる用紙の種類と斤量とを設定し得る紙種設定手段と、前記紙種設定手段により設定された用紙を画像形成に用いる際のプロセス条件のパラメータを設定するパラメータ設定手段と、画像形成に使用する用紙を指定する用紙指定手段と、前記用紙指定手段によって指定された用紙に対して前記パラメータ設定手段によって設定されたパラメータを用いて前記画像形成部にて画像形成するよう制御するプロセス制御手段と、を備えた画像形成装置において、前記パラメータ設定手段は、前記表示操作部にて設定対象のパラメータを表示する際に、予め記憶されているデフォルト値を表示し、該デフォルト値が修正された場合は、修正された値について、他の前記デフォルト値から修正されていない値と区別可能な表示形態で表示することによって、該用紙を画像形成に用いる際のプロセス条件のパラメータを設定することを特徴とする。
【手続補正３】
【補正対象書類名】明細書
【補正対象項目名】００１３
【補正方法】変更
【補正の内容】
【００１３】
また本発明は請求項１に記載の発明において、前記表示操作部にて設定対象のパラメータを表示する際に、選択可能な複数の紙種とそれぞれの紙種に設定されているパラメータを表示することを特徴とする。
【手続補正４】
【補正対象書類名】明細書
【補正対象項目名】００１４
【補正方法】変更
【補正の内容】
【００１４】
また本発明は、画像データを記憶する記憶手段と、前記記憶手段に記憶されている画像データに基づき用紙に画像を形成する画像形成部と、情報を表示するとともに、操作、指示入力を受付ける表示操作部と、前記表示操作部にて画像形成に用いる用紙の種類と斤量とを設定し得る紙種設定手段と、前記紙種設定手段により設定された用紙を画像形成に用いる際のプロセス条件のパラメータを設定するパラメータ設定手段と、画像形成に使用する用紙を指定する用紙指定手段と、前記用紙指定手段によって指定された用紙に対して前記パラメータ設定手段によって設定されたパラメータを用いて前記画像形成部にて画像形成するよう制御するプロセス制御手段と、を備えた画像形成装置において、前記表示操作部にて設定対象のパラメータを表示する際に、複数の紙種を選択可能な状態で表示し、選択された紙種についての表示は、他の選択されていない紙種とは区別可能な表示形態で表示するとともに、前記選択された紙種に対して設定が可能な複数のプロセス条件のパラメータ項目を表示することを特徴とする。
【手続補正５】
【補正対象書類名】明細書
【補正対象項目名】００１５
【補正方法】変更
【補正の内容】
【００１５】
また本発明は請求項５に記載の発明において、前記表示操作部において、前記選択された紙種に対して設定が可能であり表示されている複数のプロセス条件のパラメータ項目に対して、前記選択された紙種に対して設定された設定値を表示することを特徴とする。
【手続補正６】
【補正対象書類名】明細書
【補正対象項目名】００１６
【補正方法】変更
【補正の内容】
【００１６】
また本発明は請求項６に記載の発明において、前記パラメータ設定手段が、予め記憶されているデフォルト値から修正された値については、他の前記デフォルト値から修正されていない値と区別可能な表示形態で表示することを特徴とする。
【手続補正７】
【補正対象書類名】明細書
【補正対象項目名】００１７
【補正方法】変更
【補正の内容】
【００１７】
また本発明は請求項６に記載の発明において、前記表示操作部において、表示されている複数のプロセス条件のパラメータ項目に対して、前記選択された紙種に対して設定された設定値とあわせて選択されていない紙種に対して設定された設定値を表示することを特徴とする。
【手続補正８】
【補正対象書類名】明細書
【補正対象項目名】００１８
【補正方法】削除
【補正の内容】